(57)【特許請求の範囲】
【請求項１】
浴水を清浄化するための浄化フィルターと、浴水を加熱するための加熱ヒーターと、浴水を殺菌するための殺菌装置と、浴水を循環させるための循環ポンプと、前記循環ポンプに内蔵されたポンプ用モーターの回転子の主軸と該主軸を支えるすべり軸受けの間の水の入水部に水を安定的に供給する注水用の立て溝を設けると共に該立て溝に接続して浴水のカルシウム分の付着によるポンプロックを防止するために水潤滑を行うためのスパイラル状の溝を設けたことを特徴とするポンプロック防止機能を有する浴水循環装置。
【発明の詳細な説明】
【０００１】
【産業上の利用分野】
本発明は、浴水循環装置に係り、特に浴水循環に用いられる循環ポンプのポンプロック化の防止に関するものである。
【０００２】
【従来の技術】
浴槽内の浴水を浄化、殺菌、加熱し、循環ポンプによって循環させ、再び清浄化された浴水を浴槽内へ送る装置が開発されている。
これらの装置による浄化は、ろ過槽に収納された活性炭や繊維フィルター等で行われ、殺菌は紫外線ランプによる紫外線やオゾナイザーによるオゾンにより行われていた。
【０００３】
従来の浴水循環装置は上記のように浴水の汚れを取り除くだけでなく、加熱保温も同時に行いない、２４時間快適に入浴できる装置として提供されている。
【０００４】
【発明が解決しようとする課題】
しかしながら、一部の地域では、井戸水や水道水の成分にカルシウムやマグネシウムが多く含まれている水、いわゆる硬水を使用している地域が存在する。
そのため、この硬水を浴水に用いる場合、一定期間運転を行うと、循環ポンプの回転部分に炭酸カルシウム等が析出付着し、循環ポンプの回転を阻害したり、停止させたりするポンプロック現象が発生するという弊害があった。
【０００５】
図２は、従来発生していたポンプロック現象を説明するための循環ポンプの分解断面図である。
循環ポンプ４は、ポンプケーシング９と、回転子（ローター）１４と固定子１３を内蔵したモーターケーシング１８の３つに大別される。
浴水は、回転子１４に取付けられた羽根車１２の羽根の回転により吸水部１０より吸入され、吐水部１１より排出される構造となっている。
【０００６】
回転子１４は、軸受け１５を介し主軸１７に取付けられる。
軸受け１５と主軸１７との間には、隙間２２があり、その隙間に水が注入され、水による潤滑作用により回転がスムースに行われる、すべり軸受けの構造になっている。
【０００７】
図４は、カルシウムが付着した主軸の状態を示した断面図である。
この付着したカルシウム１９により、隙間２２に潤滑する水がせき止められ、軸受け１５と主軸１７との間で水がない状態となり焼付きが発生する。
【０００８】
軸受け１５の材質には、通常ゴムが使用され、無潤滑や乾燥状態での駆動はできないため、焼き付きが発生すると主軸１７と軸受け１５間の摩擦が大きくなり、ポンプが停止するポンプロック現象が起こる。
【０００９】
ポンプロックが発生すると、浴水循環装置Ａの管路に浴水が流れなくなり、制御部８により、管路が詰まったと判断され、循環ポンプ４を停止させる。循環ポンプの停止にともない警告ブザー等により警告が行われる。循環ポンプ４が停止すると、浄化、殺菌のための浴水循環が行われなくなるばかりか、ヒーターが過熱し装置内部の故障につながる等の問題があった。
【００１０】
ポンプロックが起きた場合には、浴水循環装置を一旦停止させ、装置本体から循環ポンプを取り出し、分解して内部に付着したカルシウム１９を取り除ぞかなければならなかった。
また、この作業は極めて難しいため、専門家による作業となり、遠隔地であったり、専門家がすぐに来ることができない場合には、入浴に支障をきたすことがあった。
【００１１】
【課題を解決するための手段】
本発明は、浴水を清浄化するための浄化フィルターと、浴水を加熱するための加熱ヒーターと、浴水を殺菌するための殺菌装置と、浴水を循環させるための循環ポンプと、前記循環ポンプに内蔵されたポンプ用モーターの回転子の主軸と該主軸を支えるすべり軸受けの間の水の入水部に水を安定的に供給する注水用の立て溝を設けると共に該立て溝に接続して浴水のカルシウム分の付着によるポンプロックを防止するために水潤滑を行うためのスパイラル状の溝を設けたことを特徴とするポンプロック防止機能を有する浴水循環装置とすることで、課題を解決することができた。
【００１２】
【発明の実施例の形態】
本発明における機能と基本構成について図１を基に説明する。
Ａは、浴水循環装置であり、その内部構造は、浴槽１の浴水を吸い込み、その浴水中の髪等を除去するためのプレフィルター部２と、浴水を清浄化するための浄化フィルター３と、浴水を循環させるための循環ポンプ４と、浴水を適温に加熱保温するための加熱ヒーター６と、浴水を殺菌する殺菌装置５と、殺菌された浴水を再び浴槽へ戻すための吐出口８により構成されている。
これらは、制御部７により制御される。制御部は、浴水の温度設定および温度管理や浴水循環装置が安全に運転されるための各種安全装置を制御するものである
。
【００１３】
循環ポンプ４の内部は、ポンプケーシング９と回転子（ローター）１４と固定子１３を内蔵したモーターケーシング１８の３つにより構成される。
浴水は、回転子１４に取付けられた羽根車１２の羽根の回転により吸水部１０より吸入され、吐水部１１より排出される構造となっている。
【００１４】
回転子１４は、軸受け２３が圧入され、主軸１７に取付けられる。
この軸受け２３には内部に１回転分のスパイラル溝２０が設けられている。
回転子１４の回転にともない、圧入された軸受け２３も一体となって回転する。
【００１５】
スパイラル溝２０には、モーターの回転にともないａ部より水が安定的に供給され、ｂ部より水が排出される構造となる。これにより主軸１７と軸受け２３の隙間２２が常に一定の水で覆われ、主軸１７の表面に乾燥部が発生しないため、水潤滑が円滑に行われる。
【００１６】
また、主軸１７にカルシウム成分が付着した場合、スパイラル溝２０の端面によりそぎ落とされ、ｂ部より排出される効果もある。
本実施例におけるスパイラル溝の形状は、軸受けの回転方向とは、逆方向に形成してあり、注水が強制的に行われるようにしたものである。
また、軸受け２３の一端には注水用の縦溝２１を設けることにより、スパイラル溝２０へ、より安定的な注水がおこなわれ、焼き付きによるポンプロック現象が防止される。
【００１７】
【発明の効果】
本発明においては、循環ポンプに内蔵されたモーターの主軸を支えるすべり軸受けの内接側に、スパイラル状の溝を設けたことことにより、水潤滑が円滑に行われ、ポンプロック現象の発生を防止することができた。
これにより、従来のように、循環ポンプを分解したり、掃除したりする手間が省け、また従来のモーターの回転子にも容易に交換取付けが行えるものである。
また、従来の製品にスパイラル溝や縦溝を設けたため、加工費も安く、構成も簡単であり、安価に提供することができる。
これによりカルシウム成分の多い水の地域でも安心して、浴水循環装置を使用することができ、その利用価値を高めることができた。
【図面の簡単な説明】
【図１】本発明の基本構成を示す説明図
【図２】従来の循環ポンプの断面図
【図３】循環ポンプの分解断面図
【図４】従来のポンプロック現象の説明図
【図５】本発明の一実施例を示す断面図
【図６】本発明の一実施例を示す分解斜視図
【符号の説明】
Ａ：装置本体、１：浴槽、２：プレフィルター部、３：浄化フィルター部、４：循環ポンプ、５：殺菌装置、６：加熱ヒーター、７：制御部、８：吐出部、９：ポンプケーシング、１０：吸水部、１１：吐水部、１２：羽根車、１３：固定子１４：回転子（ローター）、１５：軸受け、１６：軸固定部、１７：主軸、１８：モーターケーシング、１９：析出したカルシウム、２０：スパイラル溝、２１：縦溝、２２：隙間、２３：軸受け
【図１】
0003806179.tif 000002
【図２】
0003806179.tif 000003
【図３】
0003806179.tif 000004
【図４】
0003806179.tif 000005
【図５】
0003806179.tif 000006
【図６】
0003806179.tif 000007